(57)【要約】【課題】ベルト本体内に埋設された複数のスチールコードの一部が腐食しても、この腐食が、隣接する他のスチールコードに伝播するのを防ぐ。【解決手段】駆動輪と従動輪との間に無端帯状に巻回されて用いられ、ベルト本体２３内にベルト周方向に連続して延びる帯状のスチールコード層２７が埋設されるとともに、このスチールコード層２７に、その厚さ方向に直交する沿面方向における一方向に連続して延在したスチールコード２８が、前記沿面方向において前記一方向と直交する他方向に所定間隔をあけて複数配列されて備えられたゴムクローラベルト２２であって、スチールコード層２７には、前記他方向で隣接する一対のスチールコード２８同士の間隔を、複数のスチールコード２８のうちこれら一対のスチールコード２８を除いた他のスチールコード２８同士の間隔よりも大きくする腐食伝播防止部２９が備えられている。【選択図】図２
2008179328.tif 000002
【特許請求の範囲】
【請求項１】
駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトであって、
前記スチールコード層には、前記他方向で隣接する一対のスチールコード同士の間隔を、複数の前記スチールコードのうちこれら一対のスチールコードを除いた他のスチールコード同士の間隔よりも大きくする腐食伝播防止部が備えられていることを特徴とするゴムクローラベルト。
【請求項２】
請求項１記載のゴムクローラベルトであって、
前記腐食伝播防止部は、前記ベルト本体の一部をなすゴム材料で構成されていることを特徴とするゴムクローラベルト。
【請求項３】
駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトの製造方法であって、
帯状のゴム材料内に、前記スチールコード層に備えられた複数のスチールコードのうちの一部が、長手方向に連続して延在した状態で幅方向に所定間隔をあけて複数埋設された素材帯体を、その幅方向に間隔をあけて複数配置するとともに、これらの素材帯体同士の間にゴム帯を配置した状態で、
前記素材帯体およびゴム帯を、これらの厚さ方向に、前記ベルト本体の外周側を形成するキャップゴムと前記ベルト本体の内周側を形成するインナーゴムとで挟みつつ、前記素材帯体、ゴム帯、キャップゴムおよびインナーゴムを一体に加硫することにより、請求項１または２に記載のゴムクローラベルトを形成することを特徴とするゴムクローラベルトの製造方法。
【請求項４】
駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトの製造方法であって、
帯状のゴム材料内に、その厚さ方向に直交する沿面方向における一方向に連続して延在したスチールコードが、前記沿面方向において前記一方向と直交する他方向に所定間隔をあけて複数埋設された素材帯体を、その厚さ方向に、前記ベルト本体の外周側を形成するキャップゴムと前記ベルト本体の内周側を形成するインナーゴムとで挟み込んだ状態で、これらの素材帯体、キャップゴムおよびインナーゴムを一体に加硫することにより、請求項１または２に記載のゴムクローラベルトを形成し、
前記素材帯体には、前記他方向で隣接する一対のスチールコード同士の間隔を、複数の前記スチールコードのうちこれら一対のスチールコードを除いた他のスチールコード同士の間隔よりも大きくする間引き部が備えられていることを特徴とするゴムクローラベルトの製造方法。
【請求項５】
駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトの製造方法であって、
帯状のゴム材料内に、その厚さ方向に直交する沿面方向における一方向に連続して延在したスチールコードが、前記沿面方向において前記一方向と直交する他方向に所定間隔をあけて複数埋設された素材帯体と、表面にその沿面方向における一方向に連続して延びる突起体が設けられたゴムシートとを、それぞれの前記一方向を一致させた状態で積層して、前記突起体を素材帯体の表面において前記スチールコードの埋設位置と対応する部分に当接させた状態で、
前記ゴムシートおよび素材帯体を、これらの積層方向に、前記ベルト本体の外周側を形成するキャップゴムと前記ベルト本体の内周側を形成するインナーゴムとで挟みつつ、前記素材帯体、ゴムシート、キャップゴムおよびインナーゴムを一体に加硫することにより、請求項１または２に記載のゴムクローラベルトを形成することを特徴とするゴムクローラベルトの製造方法。
【発明の詳細な説明】
【技術分野】
【０００１】
本発明は、例えば、油圧ショベル等の建設機械や農機、その他のクローラ式車両に装着されるゴムクローラベルトおよびゴムクローラベルトの製造方法に関するものである。
【背景技術】
【０００２】
クローラ式車両の下部に装着される左右一対のクローラ式走行体として、例えば下記特許文献１に示されるような、駆動輪と従動輪との間に無端帯状にゴムクローラベルトが巻回された構成が知られている。このゴムクローラベルトのベルト本体内には、ベルト周方向に連続して延びる帯状のスチールコード層が埋設されており、このスチールコード層に、その厚さ方向に直交する沿面方向における一方向に連続して延在したスチールコードが、前記沿面方向において前記一方向と直交する他方向に所定間隔をあけて複数配列されて備えられている。
【特許文献１】特開平０６−２３４３７８号公報
【発明の開示】
【発明が解決しようとする課題】
【０００３】
しかしながら、前記従来のゴムクローラベルトでは、走行中に接地するベルト本体外周側のラグ等に亀裂が発生し、さらにこの亀裂がベルト本体の厚さ方向に進展してスチールコード層に到達すると、この亀裂を通して例えば水や土砂等がスチールコード層に至り、スチールコードに錆び等の腐食を生じさせることがあった。そして、複数のスチールコードのうちの一つにこのような腐食が発生すると、前記他方向で隣接する他のスチールコードにも順次伝播し、この腐食部分がベルト本体において最も破断強度が低くなり、最悪の場合、走行中に破断するおそれもあった。
【０００４】
この発明は、このような事情を考慮してなされたもので、ベルト本体内に埋設された複数のスチールコードの一部が腐食しても、この腐食が、隣接する他のスチールコードに伝播するのを防ぐことができるゴムクローラベルトおよびゴムクローラベルトの製造方法を提供することを目的とする。
【課題を解決するための手段】
【０００５】
上記課題を解決して、このような目的を達成するために、本発明のゴムクローラベルトは、駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトであって、前記スチールコード層には、前記他方向で隣接する一対のスチールコード同士の間隔を、複数の前記スチールコードのうちこれら一対のスチールコードを除いた他のスチールコード同士の間隔よりも大きくする腐食伝播防止部が備えられていることを特徴とする。
この発明によれば、スチールコード層に腐食伝播防止部が備えられているので、ベルト本体外周側のラグ等に生じた亀裂に起因して、複数のスチールコードのうちの一部に錆び等の腐食が生じ、この腐食が、前記他方向で隣接する他のスチールコードに伝播しようとしても、前記腐食伝播防止部によりこの伝播を防ぐことができる。
【０００６】
ここで、前記腐食伝播防止部は、前記ベルト本体の一部をなすゴム材料で構成されてもよい。
この場合、前記腐食伝播防止部がベルト本体の一部をなすゴム材料で構成されているので、前述の作用効果を奏する腐食伝播防止部を容易かつ確実に実現することができる。
なお、この腐食伝播防止部として、前述のゴム材料に代えて、例えば、前記スチールコードを形成する材質とは別材質のステンレスやアラミド等といった耐腐食性を有する材質からなるコードを、前記一対のスチールコード同士の間に配置することにより、これらのスチールコード同士の間隔を拡げるようにしてもよい。
【０００７】
また、本発明のゴムクローラベルトの製造方法は、駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトの製造方法であって、帯状のゴム材料内に、前記スチールコード層に備えられた複数のスチールコードのうちの一部が、長手方向に連続して延在した状態で幅方向に所定間隔をあけて複数埋設された素材帯体を、その幅方向に間隔をあけて複数配置するとともに、これらの素材帯体同士の間にゴム帯を配置した状態で、前記素材帯体およびゴム帯を、これらの厚さ方向に、前記ベルト本体の外周側を形成するキャップゴムと前記ベルト本体の内周側を形成するインナーゴムとで挟みつつ、前記素材帯体、ゴム帯、キャップゴムおよびインナーゴムを一体に加硫することにより、本発明のゴムクローラベルトを形成することを特徴とする。
この発明によれば、素材帯体同士の間にゴム帯を配置した状態で、素材帯体およびゴム帯を、これらの厚さ方向に、キャップゴムとインナーゴムとで挟みつつ、前記素材帯体、ゴム帯、キャップゴムおよびインナーゴムを一体に加硫するので、加硫後の前記ゴム帯を前記腐食伝播防止部として作用させることが可能になり、前述の作用効果を有するゴムクローラベルトを容易かつ確実に形成することができる。
【０００８】
さらに、本発明のゴムクローラベルトの製造方法は、駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトの製造方法であって、帯状のゴム材料内に、その厚さ方向に直交する沿面方向における一方向に連続して延在したスチールコードが、前記沿面方向において前記一方向と直交する他方向に所定間隔をあけて複数埋設された素材帯体を、その厚さ方向に、前記ベルト本体の外周側を形成するキャップゴムと前記ベルト本体の内周側を形成するインナーゴムとで挟み込んだ状態で、これらの素材帯体、キャップゴムおよびインナーゴムを一体に加硫することにより、本発明のゴムクローラベルトを形成し、前記素材帯体には、前記他方向で隣接する一対のスチールコード同士の間隔を、複数の前記スチールコードのうちこれら一対のスチールコードを除いた他のスチールコード同士の間隔よりも大きくする間引き部が備えられていることを特徴とする。
この発明によれば、素材帯体に前記間引き部が備えられているので、加硫後の間引き部を前記腐食伝播防止部として作用させることが可能になり、前述の作用効果を有するゴムクローラベルトを容易かつ確実に形成することができる。
【０００９】
さらにまた、本発明のゴムクローラベルトの製造方法は、駆動輪と従動輪との間に無端帯状に巻回されて用いられ、ベルト本体内にベルト周方向に連続して延びる帯状のスチールコード層が埋設されるとともに、このスチールコード層に、その厚さ方向に直交する沿面方向における一方向に連続して延在したスチールコードが、前記沿面方向において前記一方向と直交する他方向に所定間隔をあけて複数配列されて備えられたゴムクローラベルトの製造方法であって、帯状のゴム材料内に、その厚さ方向に直交する沿面方向における一方向に連続して延在したスチールコードが、前記沿面方向において前記一方向と直交する他方向に所定間隔をあけて複数埋設された素材帯体と、表面にその沿面方向における一方向に連続して延びる突起体が設けられたゴムシートとを、それぞれの前記一方向を一致させた状態で積層して、前記突起体を素材帯体の表面において前記スチールコードの埋設位置と対応する部分に当接させた状態で、前記ゴムシートおよび素材帯体を、これらの積層方向に、前記ベルト本体の外周側を形成するキャップゴムと前記ベルト本体の内周側を形成するインナーゴムとで挟みつつ、前記素材帯体、ゴムシート、キャップゴムおよびインナーゴムを一体に加硫することにより、本発明のゴムクローラベルトを形成することを特徴とする。
この発明によれば、加硫時の加熱および加圧によって、突起体が素材帯体において前記他方向で隣接する一対のスチールコード同士の間に入り込み、これら一対のスチールコード同士の間隔が拡げられることになる。したがって、加硫後の突起体を前記腐食伝播防止部として作用させることが可能になり、前述の作用効果を有するゴムクローラベルトを容易かつ確実に形成することができる。
【発明の効果】
【００１０】
この発明によれば、ベルト本体内に埋設された複数のスチールコードの一部が腐食しても、この腐食が、隣接する他のスチールコードに伝播するのを防ぐことができる。
【発明を実施するための最良の形態】
【００１１】
以下、本発明に係るゴムクローラベルトの一実施形態を、図１および図２を参照しながら説明する。
例えば、油圧ショベル等の建設機械や農機、その他のクローラ式車両においてその下部に装着される左右一対のクローラ式走行体２０はそれぞれ、図１に示されるように、駆動輪２１と図示されない従動輪との間にゴムクローラベルト２２が無端帯状に巻回された概略構成とされている。駆動輪２１はスプロケットとされ、車両フレームに設けられた例えば油圧モータ等の駆動手段により回転可能に支持されている。また、従動輪は前記車両フレームに回転自在に支持されている。
【００１２】
図示の例では、ゴムクローラベルト２２は、ゴム材料で無端帯状に成形されたベルト本体２３に、芯金２４がベルト周方向に一定の間隔をあけて複数埋設されるとともに、これらの芯金２４同士の間に駆動輪２１に対する噛み合い孔２５が開口され、かつ各芯金２４のベルト幅方向中央部に、左右一対の芯金突起２４ａがベルト内周面側に向けて突設され、この芯金突起２４ａの間を駆動輪２１および従動輪が通過するようになっている。また、ベルト本体２３の内周面には、芯金突起２４ａよりもベルト幅方向外側に位置する部分に、その全周にわたって連続して延びる偏平な転輪通過面Ｓが形成されている。
【００１３】
さらに、このベルト本体２３内において、芯金２４のベルト外周面側には、芯金突起２４ａよりもベルト幅方向外側に位置する部分に、その周方向に連続して延びる左右一対のスチールコード層２７が埋設されている。このスチールコード層２７には、ベルト周方向（スチールコード層２７の厚さ方向に直交する沿面方向における一方向）に連続して延在し、かつベルト幅方向（前記沿面方向において前記一方向と直交する他方向）に所定間隔をあけて配列された複数のスチールコード２８が備えられるとともに、各スチールコード２８同士の間にゴム材料が介在している。
【００１４】
また、ゴムクローラベルト２２の内周面側において駆動輪２１と従動輪との間には、前記車両フレームに回転自在に支持された複数の転輪１０が設けられており、各転輪１０は、転輪通過面Ｓ上で、ゴムクローラベルト２２の送り移動に伴ってこのクローラベルト２２に対して転動させられるようになっている。
【００１５】
ここで、複数の転輪１０のうち、一部はゴムクローラベルト２２の内周面において地面側の下側に位置する部分をその上側から支持するように配置されるとともに、残りはゴムクローラベルト２２の内周面において上側に位置する部分をその下側から支持するように配置されている。前者の転輪１０により、ゴムクローラベルト２２の外周面において下側に位置する部分をその全域にわたって接地させることが可能になり、また後者の転輪１０により、ゴムクローラベルト２２において上側に位置する部分が弛まないように保持できるようになっている。
【００１６】
そして、本実施形態では、スチールコード層２７に、ベルト幅方向で隣接する一対のスチールコード２８同士の間隔を、複数のスチールコード２８のうちこれら一対のスチールコード２８を除いた他のスチールコード２８同士の間隔よりも大きくする腐食伝播防止部２９が、このスチールコード層２７の厚さ方向全域にわたって備えられている。
図示の例では、腐食伝播防止部２９は、ベルト本体２３の一部をなすゴム材料で構成されており、ベルト周方向の全周にわたって延在している。また、腐食伝播防止部２９は、一対のスチールコード層２７それぞれに３個ずつ設けられ、各スチールコード層２７は、ベルト幅方向に４つに等分割されている。
そして、腐食伝播防止部２９をベルト幅方向で挟む一対のスチールコード２８同士の間隔は、スチールコード２８の外径以上とされて、前述のようにスチールコード層２７に備えられた複数のスチールコード２８のうち前記一対のスチールコード２８を除いた他のスチールコード２８同士のベルト幅方向における間隔よりも大きくなっている。
【００１７】
なお、スチールコード２８の外径は例えば約１ｍｍとされ、前記他のスチールコード２８同士の間隔は例えば約０．７ｍｍ〜１．６ｍｍとされ、腐食伝播防止部２９をベルト幅方向で挟む一対のスチールコード２８同士の間隔は例えば約３ｍｍ〜５ｍｍとされている。
また、図示の例では、スチールコード２８は、各スチールコード層２７それぞれについて２０本程度ずつ備えられ、このうち３本から５本置きに一つの腐食伝播防止部２９が配置されている。
【００１８】
次に、以上のように構成されたゴムクローラベルト２２の製造方法について、図３に基づいて説明する。
まず、ベルト本体２３の外周側を形成するキャップゴム３１と、ベルト本体２３の内周側を形成するインナーゴム３２と、スチールコード層２７を形成する素材帯体３３およびゴム帯３４と、を精錬工程および圧延工程等により形成する。ここで、素材帯体３３は、スチールコード層２７に備えられた複数のスチールコード２８のうちの一部が、帯状のゴム材料内に、その長手方向に連続して延在した状態で幅方向に所定間隔をあけて複数埋設された構成となっている。図示の例では、素材帯体３３には、スチールコード層２７に備えられている２０本のスチールコード２８のうちの５本が備えられている。
【００１９】
次に、金型３５のキャビティ３５ａ内にインナーゴム３２を配置した後に、外表面に下地処理が施された芯金２４を、芯金突起２４ａ側からインナーゴム３２内に埋め込んで、芯金２４において芯金突起２４ａと反対側の表面とインナーゴム３２の表面とを面一にする。
さらに、この面一となった表面に、素材帯体３３を、その幅方向に間隔をあけて複数配置するとともに、これらの素材帯体３３同士の間にゴム帯３４を配置する。この際、素材帯体３３とゴム帯３４とは互いに接触させてもよい。
次に、これらの素材帯体３３およびゴム帯３４の表面にキャップゴム３１を配置して、ゴムクローラベルトの成形体を形成した後に、この成形体をその積層方向に加圧した状態で加熱下に置いて加硫し、以上の各部材を互いに一体にすることによってゴムクローラベルト２２を形成する。
【００２０】
以上説明したように、本実施形態によるゴムクローラベルト２２によれば、スチールコード層２７に腐食伝播防止部２９が備えられているので、ベルト本体２３の外周側に設けられたラグ２６等に生じた亀裂に起因して、複数のスチールコード２８のうちの一部に錆び等の腐食が生じ、この腐食が、ベルト幅方向で隣接する他のスチールコード２８に伝播しようとしても、腐食伝播防止部２９によりこの伝播を防ぐことができる。
【００２１】
また、本実施形態では、腐食伝播防止部２９がベルト本体２３の一部をなすゴム材料で構成されているので、前述の作用効果を奏する腐食伝播防止部２９を容易かつ確実に実現することができる。
【００２２】
さらに、本実施形態によるゴムクローラベルト２２の製造方法によれば、素材帯体３３同士の間にゴム帯３４を配置した状態で、素材帯体３３およびゴム帯３４を、これらの厚さ方向に、キャップゴム３１とインナーゴム３２とで挟みつつ、素材帯体３３、ゴム帯３４、キャップゴム３１およびインナーゴム３２を一体に加硫するので、加硫後のゴム帯３４を腐食伝播防止部２９として作用させることが可能になり、前述の作用効果を有するゴムクローラベルト２２を容易かつ確実に形成することができる。
【００２３】
なお、本発明の技術的範囲は前記実施の形態に限定されるものではなく、本発明の趣旨を逸脱しない範囲において種々の変更を加えることが可能である。
例えば、前記実施形態では、ベルト本体２３に駆動輪２１に対する噛み合い孔２５を形成したが、これに代えて、例えば、ベルト本体２３の内周面に、その周方向に間隔をあけて複数の噛み合い突部を形成し、これらの噛み合い突部同士の間を、駆動輪２１におけるスプロケットの歯が挿入される噛み合い凹部とするゴムクローラベルトを採用してもよい。
【００２４】
このようなゴムクローラベルトにおいて、転輪１０が転動させられる転輪通過面は、ベルト本体２３の内周面において前記噛み合い突部よりもベルト幅方向外側に位置する平滑面としてもよい。また、このようなベルト本体２３では、その内部に芯金２４および左右一対のスチールコード層２７を埋設するのに代えて、ベルト本体２３のベルト幅方向全域にわたって幅広のスチールコード層を一つ設けるとともに、複数の補強プライ層をこのスチールコード層にベルト本体２３の厚さ方向で重なる位置に設けてもよい。そして、前記幅広のスチールコード層および複数の補強プライ層のうちの少なくとも一つに、前記実施形態と同様に腐食伝播防止部２９を設けてもよい。
【００２５】
また、前記実施形態では、腐食伝播防止部２９として、ベルト本体２３の一部をなすゴム材料を示したが、これに代えて例えば、スチールコード２８を形成する材質とは別材質のステンレスやアラミド等といった耐腐食性を有する材質からなるコードを、前記一対のスチールコード２８同士の間に配置することにより、これらのスチールコード２８同士の間隔を拡げるようにしてもよい。
【００２６】
さらに、腐食伝播防止部２９を有するスチールコード層２７が埋設されたゴムクローラベルト２２の製造方法は、図３に示す形態に限らず、例えば図４に示すように、帯状のゴム材料内に、その長手方向に連続して延在したスチールコード２８が、幅方向に所定間隔をあけて複数埋設された素材帯体４１を、その厚さ方向に、キャップゴム３１とインナーゴム３２とで挟み込んだ状態で、これらの素材帯体４１、キャップゴム３１およびインナーゴム３２を一体に加硫してゴムクローラベルト２２を形成してもよい。ただし、この方法においては、素材帯体４１に、その幅方向で隣接する一対のスチールコード２８同士の間隔を、複数のスチールコード２８のうちこれら一対のスチールコード２８を除いた他のスチールコード２８同士の間隔よりも大きくする間引き部４２が備えられている。
この場合、加硫後の間引き部４２が図２に示す腐食伝播防止部２９と同様の作用効果を奏することになる。
【００２７】
さらにまた、図３および図４で示した形態に代えて、例えば図５に示されるように、帯状のゴム材料内に、その長手方向に連続して延在したスチールコード２８が、幅方向に所定間隔をあけて複数埋設された素材帯体５３と、表面に長手方向に連続して延びる突起体５１が設けられたゴムシート５２とを、それぞれの長手方向を一致させた状態で積層して、突起体５１を素材帯体５３の表面においてスチールコード２８の埋設位置と対応する部分に当接させた状態で、ゴムシート５２および素材帯体５３を、これらの積層方向に、キャップゴム３１とインナーゴム３２とで挟みつつ、素材帯体５３、ゴムシート５２、キャップゴム３１およびインナーゴム３２を一体に加硫することにより、ゴムクローラベルト２２を形成してもよい。
この場合、加硫時の加熱および加圧によって、突起体５１が素材帯体５３においてその幅方向に隣接する一対のスチールコード２８同士の間に入り込み、これら一対のスチールコード２８同士の間隔が拡げられることになる。これにより、加硫後の突起体５１が、図２に示す腐食伝播防止部２９と同様の作用効果を奏することになる。
【００２８】
また、図５で示したゴムシート５２の表面に図３で示した幅狭の素材帯体３３を配置して、図５で示した突起体５１を図３で示したゴム帯３４の代わりに用いるようにしてもよい。すなわち、図５で示したゴムシート５２の表面において突起体５１同士の間に、図３で示した幅狭の素材帯体３３を配置した状態で、ゴムシート５２および素材帯体３３を、これらの厚さ方向に、キャップゴム３１とインナーゴム３２とで挟みつつ、ゴムシート５２、素材帯体３３、キャップゴム３１およびインナーゴム３２を一体に加硫してゴムクローラベルト２２を形成してもよい。
この場合、加硫後の突起体５１が腐食伝播防止部２９として作用することになる。
【００２９】
さらに、図１から図５で示した実施形態では、ベルト本体２３内に、ベルト周方向に連続して延在したスチールコード２８が、ベルト幅方向に所定間隔をあけて複数配列されて備えられた構成を示したが、これに限らず、例えばスチールコード２８はベルト幅方向に連続して延在させてもよいし、ベルト本体２３の厚さ方向に直交する沿面方向においてベルト幅方向およびベルト周方向の双方に傾斜する方向に延在させてもよい。そして、各スチールコード２８は、例えばベルト周方向に所定間隔をあけて複数配列してもよいし、ベルト本体２３の厚さ方向に直交する沿面方向においてベルト幅方向およびベルト周方向の双方に傾斜する方向に所定間隔をあけて複数配列してもよい。
【産業上の利用可能性】
【００３０】
ベルト本体内に埋設された複数のスチールコードの一部が腐食しても、この腐食が、隣接する他のスチールコードに伝播するのを防ぐことができる。
【図面の簡単な説明】
【００３１】
【図１】本発明に係る一実施形態として示したゴムクローラベルトの一部断面を含む斜視図である。
【図２】図１に示すゴムクローラベルトの拡大縦断面図である。
【図３】本発明に係る第１実施形態として示したゴムクローラベルトの製造方法を説明するための概略図である。
【図４】本発明に係る第２実施形態として示したゴムクローラベルトの製造方法を説明するための概略図である。
【図５】本発明に係る第３実施形態として示したゴムクローラベルトの製造方法を説明するための概略図である。
【符号の説明】
【００３２】
２１  駆動輪
２２  ゴムクローラベルト
２３  ベルト本体
２７  スチールコード層
２８  スチールコード
２９  腐食伝播防止部
３１  キャップゴム
３２  インナーゴム
３３、４１、５３  素材帯体
３４  ゴム帯
４２  間引き部
５１  突起体
５２  ゴムシート
【図１】
2008179328.tif 000003
【図２】
2008179328.tif 000004
【図３】
2008179328.tif 000005
【図４】
2008179328.tif 000006
【図５】
2008179328.tif 000007